(57)【要約】【課題】  屋根材一体型太陽電池モジュールの施工範囲の拡大を図ると共に、施工の手間を解消して施工費用の削減を図り得る屋根材一体型太陽電池モジュールの取付構造を提供する。【解決手段】  金属屋根板２０は、流れ方向の下側に、断面コの字状に折り返してなる屋根材下側係止部２１を備えている。太陽電池モジュール１は、矩形パネルからなるモジュール本体２とその周囲に設けられた枠体１０とからなる。上側枠体１１には、金属屋根板２０における断面コの字状の屋根材下側係止部２１の先端部２１ａを挿入した状態で屋根材下側係止部２１の先端部２１ａを挟持する上側枠体挟持凹部１５ａが設けられている。【選択図】  図１
2006177001.tif 000002
【特許請求の範囲】
【請求項１】
屋根材と太陽電池モジュールとを並べて葺設した屋根材一体型太陽電池モジュールの取付構造において、
上記屋根材は、平板を加工してなる金属屋根板から構成されていることを特徴とする屋根材一体型太陽電池モジュールの取付構造。
【請求項２】
前記屋根材は、流れ方向の下側に、断面コの字状に折り返してなる屋根材下側係止部を備えている一方、
前記太陽電池モジュールは、矩形パネルからなるモジュール本体とその周囲に設けられた枠体とからなり、かつ、上記枠体における流れ方向上側の上側枠体には、上記屋根材における断面コの字状の屋根材下側係止部の先端部を挿入した状態で該屋根材下側係止部の先端部を挟持する上側枠体挟持部が設けられていることを特徴とする請求項１記載の屋根材一体型太陽電池モジュールの取付構造。
【請求項３】
前記屋根材は、流れ方向の上側に、１８０度に折り返した折り返し部を有する一方、
前記太陽電池モジュールは、矩形パネルからなるモジュール本体とその周囲に設けられた枠体とからなり、かつ、上記枠体における流れ方向下側の下側枠体には断面Ｌ字状の下側枠体被挟持部が設けられていると共に、
上記下側枠体における断面Ｌ字状の下側枠体被挟持部の先端部が上記屋根材における１８０度に折り返した折り返し部に挿入されることにより該先端部が該折り返し部にて挟持固定されていることを特徴とする請求項１記載の屋根材一体型太陽電池モジュールの取付構造。
【請求項４】
前記屋根材の流れ方向の上側における折り返し部には、はぜ締め固定される吊子が設けられていることを特徴とする請求項３記載の屋根材一体型太陽電池モジュールの取付構造。
【請求項５】
前記屋根材の一方の側端部には、
該屋根材の一方の側端部を挿入可能に、折り返して形成された一方側端部挿入用凹部と、
前記太陽電池モジュールの枠体における流れ方向の横側における一方横側枠体との接合部分の下側に形成された雨樋部とを有する一方側部ジョイントが設けられていることを特徴とする請求項１〜４のいずれか１項に記載の屋根材一体型太陽電池モジュールの取付構造。
【請求項６】
前記屋根材の他方の側端部には、
該屋根材の他方の側端部を挿入可能に、折り返して形成された他方側端部挿入用凹部を有し、前記太陽電池モジュールの枠体における流れ方向の他方の横側における、下側から張り出して形成された雨受部を有する他方横側枠体との突合せを可能とする断面Ｌ字形状の他方側部ジョイントが設けられていることを特徴とする請求項１〜４のいずれか１項に記載の屋根材一体型太陽電池モジュールの取付構造。
【請求項７】
前記屋根材の側端部には、
該屋根材の側端部を挿入可能に、折り返して形成された側端部挿入用凹部を有し、該屋根材の側端部を覆い隠すケラバキャップが設けられていることを特徴とする請求項１〜４のいずれか１項に記載の屋根材一体型太陽電池モジュールの取付構造。
【請求項８】
流れ方向に沿う各段の前記屋根材と前記太陽電池モジュールとの継ぎ目が、連続する段では一直線に重ならないように、上記屋根材と太陽電池モジュールとが並べて葺設されていることを特徴とする請求項１〜７のいずれか１項に記載の屋根材一体型太陽電池モジュールの取付構造。
【発明の詳細な説明】
【技術分野】
【０００１】
本発明は、屋根材と太陽電池モジュールとを並べて葺設した屋根材一体型太陽電池モジュールの取付構造に関するものであり、詳細には、太陽電池モジュールと金属屋根板とを一体に葺設した屋根材一体型太陽電池モジュールの取付構造に関する。
【背景技術】
【０００２】
近年、太陽光エネルギーを利用し、家庭等で電力を発電する住宅用太陽光発電システムが普及しつつある。この住宅用太陽光発電システムを家屋に設置する場合に、従来、例えば、特許文献１に開示されているように、瓦一体型太陽電池モジュールと称されるものがある。
【０００３】
上記特許文献１の瓦一体型太陽電池モジュール１００は、図１３に示すように、屋根面
１０１上に太陽電池モジュール１０２と瓦１０３とが順次設置されたものからなっており、図１４に示すように、太陽電池モジュール１０２は瓦１０３に替えて設けられている。
【０００４】
上記太陽電池モジュール１０２は、図１５に示すように、平板状に配列された複数の太陽電池セル１０２ａの周縁部が枠体１０２ｂによって囲まれてなっている。上記太陽電池セル１０２ａは矩形状であって、その表面には強化ガラス板、透明樹脂板又は耐候性フィルム板等が積層されている。この太陽電池セル１０２ａが平板状に配列され、その周縁部が金属製等の枠体１０２ｂによって嵌合されている。
【０００５】
上記太陽電池モジュール１０２と瓦１０３との組み付け方法について、図１６〜図１８に基づいて説明する。図１６は、下方に位置する瓦１０３と太陽電池モジュール１０２との組み付け構造部１１０を示す断面図であり、図１７は、太陽電池モジュール１０２と太陽電池モジュール１０２との組み付け構造部１２０を示す断面図であり、図１８は、太陽電池モジュール１０２と上方に位置する瓦１０３との組み付け構造部１３０を示す断面図である。
【０００６】
図１６に示すように、まず、下方に位置する瓦１０３の上側と、太陽電池モジュール１０２とを一部重ねて、太陽電池モジュール１０２の枠体１０２ｂの側面部にてネジ１１１を通して野地板１０４に固定する。
【０００７】
また、太陽電池モジュール１０２同士の組み付けは、図１７に示すように、まず、下側の太陽電池モジュール１０２の上部と上側の太陽電池モジュール１０２の下部とを重ねて載置する。次いで、太陽電池モジュール１０２の上側の枠体１０２ｂに連結された連結金具１２１にネジ１２２を通して野地板１０４に固定する。また、下側に位置する太陽電池モジュール１０２と上側に位置する太陽電池モジュール１０２との組み付けは、後金具１２２及び補強バー１２３を介してビス１２４ａ・１２４ｂ・１２４ｃを用いて太陽電池モジュール１０２の枠体１０２ｂに固定する。
【０００８】
さらに、太陽電池モジュール１０２と上側に位置する瓦１０３との組み付けは、図１８に示すように、まず、太陽電池モジュール１０２の上側と、瓦１０３の下側とを一部重ねて載置する。次いで、太陽電池モジュール１０２を、前記図１７と同様にして、太陽電池モジュール１０２の上側の枠体１０２ｂに連結された連結金具１２１にネジ１２２を通して野地板１０４に固定する。なお、上側に位置する瓦１０３は、太陽電池モジュール１０２に単に載置されているだけである。その理由は、この上側に位置する瓦１０３は、前記図１５に示すように、瓦１０３の上部でネジ１１１を通して野地板１０４に固定されるためである。
【０００９】
上記構成の瓦一体型太陽電池モジュール１００では、瓦１０３を葺くときに太陽電池モジュール１０２を一緒に葺く。したがって、一旦、瓦１０３を全て葺いた後、アングル等にてなる支持台に太陽電池モジュール１０２を設置するのに比べて、２度手間とならず、２重の施工費用がかかるという問題を解消できるという利点がある。
【特許文献１】特開２００３−２６２０２０号公報（平成１５年９月１９日公開）
【発明の開示】
【発明が解決しようとする課題】
【００１０】
しかしながら、上記従来の太陽電池モジュールの屋根取り付け部の構造では、太陽電池モジュール１０２と太陽電池モジュール１０２との組み付け構造部１２０においては、ネジ１１１を通して野地板１０４に固定することが必須となっている。したがって、施工に手間がかかり、施工費用の低減を十分に図ることができないという問題点を有している。
【００１１】
本発明は、上記従来の問題点に鑑みなされたものであって、その目的は、屋根材一体型太陽電池モジュールの施工範囲の拡大を図ると共に、施工の手間を解消して施工費用の削減を図り得る屋根材一体型太陽電池モジュールの取付構造を提供することにある。
【課題を解決するための手段】
【００１２】
本発明の屋根材一体型太陽電池モジュールの取付構造は、上記課題を解決するために、屋根材と太陽電池モジュールとを並べて葺設した屋根材一体型太陽電池モジュールの取付構造において、上記屋根材は、平板を加工してなる金属屋根板から構成されていることを特徴としている。
【００１３】
従来、瓦一体型太陽電池モジュールは存在していたが、金属屋根材一体型太陽電池モジュールは存在しなかった。
【００１４】
しかし、本発明によれば、屋根材は、平板を加工してなる金属屋根板から構成されている。このため、金属屋根材においても、金属屋根材と太陽電池モジュールとを並べて葺設することができ、これによって、屋根材一体型太陽電池モジュールの施工範囲を金属屋根についてまで拡大を図ることができる。また、金属屋根は、平板を加工して葺かれるので、瓦屋根よりも施工が簡単である。この結果、太陽電池モジュールを金属屋根に容易に一体的に取り付けることができる。
【００１５】
したがって、屋根材一体型太陽電池モジュールの施工範囲の拡大を図ると共に、施工の手間を解消して施工費用の削減を図り得る屋根材一体型太陽電池モジュールの取付構造を提供することができる。
【００１６】
また、本発明の屋根材一体型太陽電池モジュールの取付構造は、上記屋根材一体型太陽電池モジュールの取付構造において、前記屋根材は、流れ方向の下側に、断面コの字状に折り返してなる屋根材下側係止部を備えている一方、前記太陽電池モジュールは、矩形パネルからなるモジュール本体とその周囲に設けられた枠体とからなり、かつ、上記枠体における流れ方向上側の上側枠体には、上記屋根材における断面コの字状の屋根材下側係止部の先端部を挿入した状態で該屋根材下側係止部の先端部を挟持する上側枠体挟持部が設けられていることを特徴としている。
【００１７】
上記の発明によれば、流れ方向下段の太陽電池モジュールに、流れ方向上段の屋根材を取り付けるときには、上側枠体における上側枠体挟持部に断面コの字状に折り返してなる屋根材下側係止部を挿入すればよい。
【００１８】
この結果、流れ方向下段の太陽電池モジュールに流れ方向上段の屋根材を容易に取り付けることができる。特に、従来の瓦一体型太陽電池モジュールでは、太陽電池モジュールの流れ方向上段に瓦を取り付けるときには、単に瓦を載置するだけで固定をしてなかった。この点、本発明では、太陽電池モジュールと金属屋根材とを係止するので、接合強度が大きくなる。
【００１９】
また、本発明の屋根材一体型太陽電池モジュールの取付構造は、上記屋根材一体型太陽電池モジュールの取付構造において、前記屋根材は、流れ方向の上側に、１８０度に折り返した折り返し部を有する一方、前記太陽電池モジュールは、矩形パネルからなるモジュール本体とその周囲に設けられた枠体とからなり、かつ、上記枠体における流れ方向下側の下側枠体には断面Ｌ字状の下側枠体被挟持部が設けられていると共に、上記下側枠体における断面Ｌ字状の下側枠体被挟持部の先端部が上記屋根材における１８０度に折り返した折り返し部に挿入されることにより該先端部が該折り返し部にて挟持固定されていることを特徴としている。
【００２０】
上記の発明によれば、流れ方向下段の屋根材に、流れ方向上段の太陽電池モジュールを取り付けるときには、屋根材の折り返し部に太陽電池モジュールの下側枠体における断面Ｌ字状の下側枠体被挟持部を挿入すればよい。
【００２１】
この結果、流れ方向下段の屋根材に流れ方向上段の太陽電池モジュールを容易に取り付けることができる。
【００２２】
また、本発明の屋根材一体型太陽電池モジュールの取付構造は、上記屋根材一体型太陽電池モジュールの取付構造において、前記屋根材の流れ方向の上側における折り返し部には、はぜ締め固定される吊子が設けられていることを特徴としている。
【００２３】
上記の発明によれば、屋根材の流れ方向の上側における折り返し部には、はぜ締め固定される吊子が設けられているので、この吊子を例えば釘又は木ネジにて野地板に固定することにより、屋根材を固定することができる。
【００２４】
また、本発明の屋根材一体型太陽電池モジュールの取付構造は、上記屋根材一体型太陽電池モジュールの取付構造において、前記屋根材の一方の側端部には、該屋根材の一方の側端部を挿入可能に折り返して形成された一方側端部挿入用凹部と、前記太陽電池モジュールの枠体における流れ方向の横側における一方横側枠体との接合部分の下側に形成された雨樋部とを有する一方側部ジョイントが設けられていることを特徴としている。
【００２５】
上記の発明によれば、太陽電池モジュールと屋根材とを横並びに接合するときには、屋根材に一方側部ジョイントを取り付け、この一方側部ジョイントと太陽電池モジュールの一方横側枠体とを例えば突き合わせて接合する。なお、屋根材に一方側部ジョイントを取り付けるときには、一方側部ジョイントにおける、折り返して形成された一方側端部挿入用凹部に屋根材を挿入することにより、容易に、屋根材に一方側部ジョイントを取り付けることができる。
【００２６】
また、このように、太陽電池モジュールと屋根材とを横並びに接合したときに、例えばその突合せ部分における雨じまいが問題となる。しかし、本発明では、接合部分の下側には、一方側部ジョイントの雨樋部が設けられている。したがって、太陽電池モジュールと屋根材とを横並びに接合したときの、その接合部分での雨じまいを、瓦一体型太陽電池モジュールに比べて容易かつ確実に行うことができる。
【００２７】
また、本発明の屋根材一体型太陽電池モジュールの取付構造は、上記屋根材一体型太陽電池モジュールの取付構造において、前記屋根材の他方の側端部には、該屋根材の他方の側端部を挿入可能に、折り返して形成された他方側端部挿入用凹部を有し、前記太陽電池モジュールの枠体における流れ方向の他方の横側における、下側から張り出して形成された雨受部を有する他方横側枠体との突合せを可能とする断面Ｌ字形状の他方側部ジョイントが設けられていることを特徴としている。
【００２８】
上記の発明によれば、太陽電池モジュールと屋根材とを横並びに接合するときには、屋根材に断面Ｌ字形状の他方側部ジョイントを取り付け、この他方側部ジョイントと太陽電池モジュールの他方横側枠体とを突き合わせて接合する。なお、屋根材に断面Ｌ字形状の他方側部ジョイントを取り付けるときには、他方側部ジョイントにおける、折り返して形成された他方側端部挿入用凹部に屋根材を挿入することにより、容易に、屋根材に一方側部ジョイントを取り付けることができる。
【００２９】
また、このように、太陽電池モジュールと屋根材とを横並びに接合したときに、その突合せ部分における雨じまいが問題となる。しかし、本発明では、接合部分の下側には、他方横側枠体において下側から張り出して形成された雨受部が存在する。したがって、太陽電池モジュールと屋根材とを横並びに接合したときの、その接合部分での雨じまいをこの雨受部にて行うことができる。
【００３０】
また、本発明の屋根材一体型太陽電池モジュールの取付構造は、上記屋根材一体型太陽電池モジュールの取付構造において、前記屋根材の側端部には、該屋根材の側端部を挿入可能に、折り返して形成された側端部挿入用凹部を有し、該屋根材の側端部を覆い隠すケラバキャップが設けられていることを特徴としている。
【００３１】
上記の発明によれば、屋根材の側端部には、該屋根材の側端部を覆い隠すケラバキャップが設けられている。そして、屋根材にケラバキャップを取り付けるときには、ケラバキャップの側端部挿入用凹部に、屋根材該屋根材の側端部を挿入する。この結果、屋根材にケラバキャップを容易に取り付けることができる。
【００３２】
また、本発明の屋根材一体型太陽電池モジュールの取付構造は、上記屋根材一体型太陽電池モジュールの取付構造において、流れ方向に沿う各段の前記屋根材と前記太陽電池モジュールとの継ぎ目が、連続する段では一直線に重ならないように、上記屋根材と太陽電池モジュールとが並べて葺設されていることを特徴としている。
【００３３】
すなわち、流れ方向に沿う各段の前記屋根材と前記太陽電池モジュールとの継ぎ目が、連続する段で一直線に重なると、雨樋を通る雨量が倍になり、雨樋から雨が溢れる虞がある。
【００３４】
この点、本発明では、流れ方向に沿う各段の前記屋根材と前記太陽電池モジュールとの継ぎ目が、連続する段では一直線に重ならないように、上記屋根材と太陽電池モジュールとが並べて葺設されている。
【００３５】
したがって、雨樋から雨が溢れるのを防止することができる。
【発明の効果】
【００３６】
本発明の屋根材一体型太陽電池モジュールの取付構造は、以上のように、屋根材は、平板を加工してなる金属屋根板から構成されているものである。
【００３７】
それゆえ、金属屋根材においても、金属屋根材と太陽電池モジュールとを並べて葺設することができ、これによって、屋根材一体型太陽電池モジュールの施工範囲を金属屋根についてまで拡大を図ることができる。また、金属屋根は、平板を加工して葺かれるので、瓦屋根よりも施工が簡単である。この結果、太陽電池モジュールを金属屋根に容易に一体的に取り付けることができる。
【００３８】
したがって、屋根材一体型太陽電池モジュールの施工範囲の拡大を図ると共に、施工の手間を解消して施工費用の削減を図り得る屋根材一体型太陽電池モジュールの取付構造を提供することができるという効果を奏する。
【発明を実施するための最良の形態】
【００３９】
本発明の一実施形態について図１ないし図１２に基づいて説明すれば、以下の通りである。
【００４０】
本実施の形態の屋根材一体型太陽電池モジュールの取付構造は、図２に示すように、屋根板としてスチール等の金属からなる金属屋根板２０に太陽電池モジュール１を一体に取り付ける場合を対象としている。
【００４１】
上記屋根材一体型太陽電池モジュールの取付構造において使用される太陽電池モジュール１は、図３に示すように、平板状に配列された複数の太陽電池セルにてなるモジュール本体２と、その周縁部に設けられた枠体１０とからなっている。上記モジュール本体２は矩形状であって、その表面には強化ガラス板、透明樹脂板又は耐候性フィルム板等が積層されている。上記の太陽電池セルが平板状に配列されたモジュール本体２は、その周縁部に設けられた金属製等の枠体１０に嵌合されている。
【００４２】
すなわち、本実施の形態で取り付ける太陽電池モジュール１は、従来技術で説明した太陽電池モジュール１０２と同じ形態をしている。ただし、太陽電池モジュール１は必ずしもこれに限らず、枠体１０を本実施の形態のように加工することにより他の形態のものでも使用可能である。
【００４３】
上記枠体１０は、例えばアルミニウム（Ａｌ）等の金属にてなっており、同図に示すように、流れ方向上側の上側枠体１１と、流れ方向下側の下側枠体１２と、一方横側枠体としての右側枠体１３と、他方横側枠体としての左側枠体１４とからなっている。
【００４４】
上記上側枠体１１は、図４及び図１に示すように、下部に、断面コの字形状の上側枠体用吊子５を取り付けるための上側枠体用吊子取り付け凹部１１ａを有している。
【００４５】
また、下側枠体１２は、図４及び図５に示すように、断面Ｌ字状の下側枠体被挟持部１２ａを有しており、この下側枠体被挟持部１２ａの先端部１２ａａが、金属屋根板２０における１８０度に折り返した折り返し部２２に挿入されることにより、この先端部１２ａａがこの折り返し部２２にて挟持固定されるようになっている。
【００４６】
上記右側枠体１３は、図６及び図７に示すように、該右側枠体１３の上面から右側に延びる右側張り出し部１３ａを有している。
【００４７】
また、上記左側枠体１４は、図６及び図８に示すように、該左側枠体１４の下面から左に延びる雨受部としての左側張り出し雨受部１４ａを有している。
【００４８】
一方、上記金属屋根板２０は、図９に示すように、例えばスチールからなる金属屋根板を折り曲げ加工したものからなっている。具体的には、金属屋根板２０は、図１０に示すように、流れ方向の下側における端部に、断面コの字状に折り返してなる屋根材下側係止部２１を有している。また、金属屋根板２０における流れ方向の上側の端部には、金属屋根板を１８０度に谷折り返した折り返し部２２が形成されている。この折り返し部２２には、図９に示すように、はぜ締め固定される吊子としての屋根板上側用吊子６が設けられるようになっている。すなわち、屋根板上側用吊子６は、図５に示すように、その吊子先端部６ａと金属屋根板２０の屋根板上側先端部２３とをはぜ締めすることにより、屋根板上側用吊子６と金属屋根板２０の折り返し部２２とが一体に固定されるようになっている。
【００４９】
また、上記金属屋根板２０は、両側面においては、図６及び図１１（ａ）（ｂ）に示すように、一方側部ジョイントとしてのモジュール右ジョイント７と、他方側部ジョイントとしてのモジュール左ジョイント８とが設けられている。
【００５０】
上記モジュール右ジョイント７は、図７及び図１１（ｂ）に示すように、上記金属屋根板２０の側端部を挿入可能に，折り返して形成された一方側端部挿入用凹部７ａと、上記太陽電池モジュール１の枠体１０における流れ方向の横側における右側枠体１３との接合部分の下側に形成された雨樋部７ｂとを有している。本実施の形態では、この雨樋部７ｂは、断面コの字状に形成されている。
【００５１】
また、モジュール左ジョイント８は、図８及び図１１（ａ）に示すように、上記金属屋根板２０の側端部を挿入可能に折り返して形成された他方側端部挿入用凹部８ａを有し、太陽電池モジュール１の枠体１０における左側枠体１４との突合せを可能とする断面Ｌ字形状に形成されている。
【００５２】
上記構成の太陽電池モジュール１と金属屋根板２０とを並べて一体に葺設した本実施の形態の屋根材一体型太陽電池モジュールの取付構造について説明する。
【００５３】
まず、太陽電池モジュール１の流れ方向の上側と金属屋根板２０との取付構造Ａについて、図４及び図１に基づいて説明する。
【００５４】
本実施の形態では、図４及び図１に示すように、太陽電池モジュール１の枠体１０における流れ方向上側の上側枠体１１には、上側枠体挟持部１５が設けられている。したがって、太陽電池モジュール１における流れ方向の上側の段に金属屋根板２０を葺設するときには、この上側枠体挟持部１５における上側枠体挟持凹部１５ａに、金属屋根板２０における断面コ字状の屋根材下側係止部２１の先端部２１ａを挿入する。これにより、金属屋根板２０は容易に太陽電池モジュール１の上側枠体１１に取り付けられる。なお、これに先立って、太陽電池モジュール１の上側枠体１１の下部では、上側枠体用吊子取り付け凹部１１ａに断面コの字形状の上側枠体用吊子５を取り付けておく。さらに、この上側枠体用吊子５を、図示しない例えば釘又は木ねじにて野地板に固定しておく。
【００５５】
次に、太陽電池モジュール１の流れ方向の下側と金属屋根板２０との取付構造Ｂについて、図４、図５及び図９に基づいて説明する。
【００５６】
本実施の形態では、図４、図５及び図９に示すように、金属屋根板２０における流れ方向の上側には、１８０度に折り返した折り返し部２２が設けられている。そして、この折り返し部２２では、屋根板上側用吊子６の吊子先端部６ａが一体にはぜ締めされている。
【００５７】
したがって、この折り返し部２２には、金属屋根板２０の平板との間に隙間２２ａがあるので、この隙間２２ａに、太陽電池モジュール１の下側枠体１２における断面Ｌ字状の下側枠体被挟持部１２ａの先端部１２ａａが挿入される。これにより、太陽電池モジュール１は容易に金属屋根板２０の流れ方向の上側に容易に取り付けられる。なお、これに先立って、上記屋根板上側用吊子６は、図示しない例えば釘又は木ねじにて野地板に固定される。
【００５８】
次に、太陽電池モジュール１の右側面部と金属屋根板２０との取付構造Ｃについて、図６及び図７に基づいて説明する。
【００５９】
本実施の形態では、図６及び図７に示すように、太陽電池モジュール１の右側面部に葺設される金属屋根板２０には、予め、モジュール右ジョイント７が設けられている。このモジュール右ジョイント７には、端部に、一方側端部挿入用凹部７ａが設けられているので、この一方側端部挿入用凹部７ａに金属屋根板２０の端部を挿入することにより、容易に、金属屋根板２０にモジュール右ジョイント７を取り付けることができる。
【００６０】
したがって、太陽電池モジュール１の右側枠体１３における右側張り出し部１３ａの先端と、上記モジュール右ジョイント７の雨樋部７ｂとを突き合わせることにより、容易に、太陽電池モジュール１と金属屋根板２０の各側面同士を接合することができる。この場合、太陽電池モジュール１の右側枠体１３における右側張り出し部１３ａの先端と、上記モジュール右ジョイント７の雨樋部７ｂとの突き合わせ部分に多少の隙間１３ｂがあったとしても、この突き合わせ部分の下方は雨樋部７ｂとなっているので、雨が野地板にまで浸透することはない。
【００６１】
次に、太陽電池モジュール１の左側面部と金属屋根板２０との取付構造Ｄについて、図６及び図８に基づいて説明する。
【００６２】
本実施の形態では、図６及び図８に示すように、太陽電池モジュール１の左側面部に葺設される金属屋根板２０には、予め、モジュール左ジョイント８が設けられている。すなわち、モジュール左ジョイント８は、側端部に、他方側端部挿入用凹部８ａを有して断面Ｌ字形状に形成されているので、この他方側端部挿入用凹部８ａに金属屋根板２０を挿入することにより、金属屋根板２０にモジュール左ジョイント８を容易に取り付けることができる。
【００６３】
本実施の形態では、太陽電池モジュール１の左側枠体１４における左側張り出し雨受部１４ａと、上記モジュール左ジョイント８とを突き合わせることにより、容易に、太陽電池モジュール１と金属屋根板２０の各側面同士を接合することができる。この場合、左側枠体１４における左側張り出し雨受部１４ａと、上記モジュール左ジョイント８との突き合わせ部分に多少の隙間８ｂがあったとしても、この突き合わせ部分の下方は左側張り出し雨受部１４ａとなっているので、雨が野地板にまで浸透することはない。
【００６４】
次に、流れ方向の金属屋根板２０同士の取付構造Ｅについて、図４及び図１２に基づいて説明する。
【００６５】
流れ方向の金属屋根板２０同士の取り付けるときには、図４及び図１２に示すように、まず、流れ方向の下側の金属屋根板２０に、１８０度に折り返した折り返し部２２にて屋根板上側用吊子６の吊子先端部６ａを一体にはぜ締めしておく。次いで、流れ方向の上側の金属屋根板２０における断面コ字状の屋根材下側係止部２１の先端部２１ａを上記折り返し部２２に挿入する。これにより、流れ方向上側の金属屋根板２０は容易に流れ方向下側の金属屋根板２０に取り付けられる。
【００６６】
最後に、金属屋根板２０の側端部に、ケラバキャップを取り付ける方法について説明する。このケラバキャップ３１・３２は、図６〜図９に示すように、屋根の端部において、金属屋根板２０の側端部を覆い隠すためのものである。
【００６７】
本実施の形態では、ケラバキャップ３１・３２は、断面Ｌ字形状に形成されていると共に、このケラバキャップ３１・３２の端部には折り返して形成された側端部挿入用凹部、金属屋根板２０の側端部を挿入可能に、折り返して形成された側端部挿入用凹部３１ａ・３２ａを有している。したがって、このケラバキャップ３１・３２を金属屋根板２０に取り付けるときには、ケラバキャップ３１・３２の側端部挿入用凹部３１ａ・３２ａに金属屋根板２０の端部を挿入させることによって、容易に、このケラバキャップ３１・３２を金属屋根板２０に取り付けることができる。
【００６８】
このように、本実施の形態の屋根材一体型太陽電池モジュールの取付構造では、屋根材は、平板を加工してなる金属屋根板２０から構成されている。このため、金属屋根板２０においても、金属屋根板２０と太陽電池モジュール１とを並べて葺設することができ、これによって、屋根材一体型太陽電池モジュールの施工範囲を金属屋根板２０についてまで拡大を図ることができる。また、金属屋根板２０は、平板を加工して葺かれるので、瓦屋根よりも施工が簡単である。この結果、太陽電池モジュール１を金属屋根板２０に容易に一体的に取り付けることができる。
【００６９】
したがって、屋根材一体型太陽電池モジュールの施工範囲の拡大を図ると共に、施工の手間を解消して施工費用の削減を図り得る屋根材一体型太陽電池モジュールの取付構造を提供することができる。
【００７０】
また、本実施の形態の屋根材一体型太陽電池モジュールの取付構造では、金属屋根板２０は、流れ方向の下側に、断面コの字状に折り返してなる屋根材下側係止部２１を備えている一方、太陽電池モジュール１は、矩形パネルからなるモジュール本体２とその周囲に設けられた枠体１０とからなり、かつ、枠体１０における流れ方向上側の上側枠体１１には、金属屋根板２０における断面コの字状の屋根材下側係止部２１の先端部２１ａを挿入した状態で該屋根材下側係止部２１の先端部２１ａを挟持する上側枠体挟持部１５が設けられている。
【００７１】
このため、流れ方向下段の太陽電池モジュール１に、流れ方向上段の金属屋根板２０を取り付けるときには、上側枠体１１における上側枠体挟持部１５に、断面コの字状に折り返してなる屋根材下側係止部２１を挿入すればよい。
【００７２】
この結果、流れ方向下段の太陽電池モジュール１に流れ方向上段の金属屋根板２０を容易に取り付けることができる。特に、従来の瓦一体型太陽電池モジュールでは、太陽電池モジュールの流れ方向上段に瓦を取り付けるときには、単に瓦を載置するだけで固定をしてなかった。この点、本実施の形態では、太陽電池モジュール１と金属屋根板２０とを係止するので、接合強度が大きくなる。
【００７３】
また、本実施の形態の屋根材一体型太陽電池モジュールの取付構造では、金属屋根板２０は、流れ方向の上側に、１８０度に折り返した折り返し部２２を有する一方、太陽電池モジュール１は、矩形パネルからなるモジュール本体２とその周囲に設けられた枠体１０とからなり、かつ、枠体１０における流れ方向下側の下側枠体１２には断面Ｌ字状の下側枠体被挟持部１２ａが設けられていると共に、下側枠体１２における断面Ｌ字状の下側枠体被挟持部１２ａの先端部１２ａａが金属屋根板２０における１８０度に折り返した折り返し部２２に挿入されることにより該先端部１２ａａが折り返し部２２にて挟持固定されている。
【００７４】
このため、流れ方向下段の金属屋根板２０に、流れ方向上段の太陽電池モジュール１を取り付けるときには、金属屋根板２０の折り返し部２２に太陽電池モジュール１の下側枠体１２における断面Ｌ字状の下側枠体被挟持部１２ａを挿入すればよい。
【００７５】
この結果、流れ方向下段の金属屋根板２０に流れ方向上段の太陽電池モジュール１を容易に取り付けることができる。
【００７６】
また、本実施の形態の屋根材一体型太陽電池モジュールの取付構造では、金属屋根板２０の流れ方向の上側における折り返し部２２には、はぜ締め固定される屋根板上側用吊子６が設けられている。
【００７７】
このため、屋根板上側用吊子６を例えば釘又は木ネジにて野地板に固定することにより、金属屋根板２０を固定することができる。
【００７８】
また、本実施の形態の屋根材一体型太陽電池モジュールの取付構造では、金属屋根板２０の一方の側端部には、金属屋根板２０の一方の側端部を挿入可能に、折り返して形成された一方側端部挿入用凹部７aと、太陽電池モジュール１の枠体１０における流れ方向の横側における右側枠体１３との接合部分の下側に形成された雨樋部７ｂとを有するモジュール右ジョイント７が設けられている。
【００７９】
このため、太陽電池モジュール１と金属屋根板２０とを横並びに接合するときには、金属屋根板２０にモジュール右ジョイント７を取り付け、このモジュール右ジョイント７と太陽電池モジュール１の右側枠体１３とを例えば突き合わせて接合する。なお、金属屋根板２０にモジュール右ジョイント７を取り付けるときには、モジュール右ジョイント７における、折り返して形成された一方側端部挿入用凹部７ａに金属屋根板２０を挿入することにより、容易に、金属屋根板２０にモジュール右ジョイント７を取り付けることができる。
【００８０】
また、このように、太陽電池モジュール１と金属屋根板２０とを横並びに接合したときに、例えばその突合せ部分における雨じまいが問題となる。しかし、本実施の形態では、接合部分の下側には、モジュール右ジョイント７の雨樋部７ｂが設けられている。したがって、太陽電池モジュール１と金属屋根板２０とを横並びに接合したときの、その接合部分での雨じまいを瓦一体型太陽電池モジュールに比べて容易かつ確実に行うことができる。
【００８１】
また、本実施の形態の屋根材一体型太陽電池モジュールの取付構造では、金属屋根板２０の他方の側端部には、金属屋根板２０の他方の側端部を挿入可能に、折り返して形成された他方側端部挿入用凹部８ａを有し、太陽電池モジュール１の枠体における流れ方向の他方の横側における、下側から張り出して形成された左側張り出し雨受部１４ａを有する左側枠体１４との突合せを可能とする断面Ｌ字形状のモジュール左ジョイント８が設けられている。
【００８２】
このため、太陽電池モジュール１と金属屋根板２０とを横並びに接合するときには、金属屋根板２０に断面Ｌ字形状のモジュール左ジョイント８を取り付け、このモジュール左ジョイント８と太陽電池モジュール１の左側枠体１４とを突き合わせて接合する。なお、金属屋根板２０に断面Ｌ字形状のモジュール左ジョイント８を取り付けるときには、モジュール左ジョイント８における、折り返して形成された他方側端部挿入用凹部８ａに金属屋根板２０を挿入することにより、容易に、金属屋根板２０にモジュール左ジョイント８を取り付けることができる。
【００８３】
また、このように、太陽電池モジュール１と金属屋根板２０とを横並びに接合したときに、その突合せ部分における雨じまいが問題となる。しかし、本実施の形態では、接合部分の下側には、左側枠体１４において下側から張り出して形成された左側張り出し雨受部１４ａが存在する。したがって、太陽電池モジュール１と金属屋根板２０とを横並びに接合したときの、その接合部分での雨じまいをこの左側張り出し雨受部１４ａにて行うことができる。
【００８４】
また、本実施の形態の屋根材一体型太陽電池モジュールの取付構造では、金属屋根板２０の側端部には、金属屋根板２０の側端部を挿入可能に、折り返して形成された側端部挿入用凹部３１ａ・３２ａを有し、金属屋根板２０の側端部を覆い隠すケラバキャップ３１・３２が設けられている。
【００８５】
このため、金属屋根板２０にケラバキャップ３１・３２を取り付けるときには、ケラバキャップ３１・３２の側端部挿入用凹部３１ａ・３２ａに、金属屋根板２０の側端部を挿入する。この結果、金属屋根板２０にケラバキャップ３１・３２を容易に取り付けることができる。
【００８６】
また、本実施の形態の屋根材一体型太陽電池モジュールの取付構造では、流れ方向に沿う各段の金属屋根板２０と太陽電池モジュール１との継ぎ目が、連続する段では一直線に重ならないように、金属屋根板２０と太陽電池モジュール１とが並べて葺設されている。
【００８７】
すなわち、流れ方向に沿う各段の金属屋根板２０と太陽電池モジュール１との継ぎ目が、連続する段で一直線に重なると、雨樋を通る雨量が倍になり、雨樋から雨が溢れる虞がある。
【００８８】
この点、本実施の形態では、流れ方向に沿う各段の金属屋根板２０と太陽電池モジュール１との継ぎ目が、連続する段では一直線に重ならないように、金属屋根板２０と太陽電池モジュール１とが並べて葺設されている。具体的には、図２に示すように、金属屋根板２０と太陽電池モジュール１とは、格子状ではなく、レンガ積みのように互い違いに、配列されている。したがって、雨樋から雨が溢れるのを防止することができる。
【産業上の利用可能性】
【００８９】
本発明は、金属屋根材と太陽電池モジュールとを並べて葺設した屋根材一体型太陽電池モジュールの取付構造に適用することができる。
【図面の簡単な説明】
【００９０】
【図１】本発明における屋根材一体型太陽電池モジュールの取付構造の実施の一形態を示すものであり、太陽電池モジュールの流れ方向の上側と金属屋根板との取付構造を示す要部拡大断面図である。
【図２】上記屋根材一体型太陽電池モジュールの全体像を示す平面図である。
【図３】上記屋根材一体型太陽電池モジュールにおける太陽電池モジュールの構成を示す斜視図である。
【図４】上記屋根材一体型太陽電池モジュールの取付構造を示す流れ方向の断面図である。
【図５】太陽電池モジュールの流れ方向の下側と金属屋根板との取付構造を示す要部拡大断面図である。
【図６】太陽電池モジュールの側面部と金属屋根板との取付構造示す正面からみた断面図である。
【図７】太陽電池モジュールの右側面部と金属屋根板との取付構造を示す要部拡大断面図である。
【図８】太陽電池モジュールの左側面部と金属屋根板との取付構造を示す要部拡大断面図である。
【図９】上記屋根材一体型太陽電池モジュールの取付構造の一部を切り欠いて示す斜視図である。
【図１０】上記屋根材一体型太陽電池モジュールに使用される金属屋根板の構造を示す斜視図である。
【図１１】（ａ）はモジュール左ジョイントの構成を示す斜視図であり、（ｂ）はモジュール右ジョイントの構成を示す斜視図である。
【図１２】金属屋根板と金属屋根板との取付構造を示す要部拡大断面図である。
【図１３】従来の瓦一体型太陽電池モジュールの取付構造を示す斜視図である。
【図１４】上記瓦一体型太陽電池モジュールの取付構造を示す流れ方向の断面図である。
【図１５】上記瓦一体型太陽電池モジュールにおける太陽電池モジュールの構成を示す斜視図である。
【図１６】上記瓦一体型太陽電池モジュールにおける、流れ方向の下側の瓦と太陽電池モジュールとの取付構造を示す要部拡大断面図である。
【図１７】上記瓦一体型太陽電池モジュールにおける、太陽電池モジュールと太陽電池モジュールとの流れ方向の取付構造を示す要部拡大断面図である。
【図１８】上記瓦一体型太陽電池モジュールにおける、太陽電池モジュールの流れ方向の上側と瓦との取付構造を示す要部拡大断面図である。
【符号の説明】
【００９１】
１        太陽電池モジュール
２        モジュール本体
５        上側枠体用吊子
６        屋根板上側用吊子（吊子）
７        モジュール右ジョイント（一方側部ジョイント）
７ａ      一方側端部挿入用凹部
７ｂ      雨樋部
８        モジュール左ジョイント（他方側部ジョイント）
８ａ      他方側端部挿入用凹部
１０        枠体
１１        上側枠体
１１ａ      上側枠体用吊子取り付け凹部
１２        下側枠体
１２ａ      下側枠体被挟持部
１２ａａ    下側枠体被挟持部の先端部
１３        右側枠体（一方横側枠体）
１３ａ      右側張り出し部
１３ｂ      隙間
１４        左側枠体（他方横側枠体）
１４ａ      左側張り出し雨受部（雨受部）
１５        上側枠体挟持部
１５ａ      上側枠体挟持凹部
２０        金属屋根板（屋根材）
２１        屋根材下側係止部
２１ａ      屋根材下側係止部の先端部
２２        折り返し部
２２ａ      隙間
３１・３２  ケラバキャップ
３１ａ      側端部挿入用凹部
３２ａ      側端部挿入用凹部
Ａ        太陽電池モジュールの流れ方向の上側と金属屋根板との取付構造
Ｂ        太陽電池モジュールの流れ方向の下側と金属屋根板との取付構造
Ｃ        太陽電池モジュールの右側面部と金属屋根板との取付構造
Ｄ        太陽電池モジュールの左側面部と金属屋根板との取付構造
Ｅ        流れ方向の金属屋根板２０同士の取付構造
【図１】
2006177001.tif 000003
【図２】
2006177001.tif 000004
【図３】
2006177001.tif 000005
【図４】
2006177001.tif 000006
【図５】
2006177001.tif 000007
【図６】
2006177001.tif 000008
【図７】
2006177001.tif 000009
【図８】
2006177001.tif 000010
【図９】
2006177001.tif 000011
【図１０】
2006177001.tif 000012
【図１１】
2006177001.tif 000013
【図１２】
2006177001.tif 000014
【図１３】
2006177001.tif 000015
【図１４】
2006177001.tif 000016
【図１５】
2006177001.tif 000017
【図１６】
2006177001.tif 000018
【図１７】
2006177001.tif 000019
【図１８】
2006177001.tif 000020